(57)【要約】【課題】良好な美観および段板の取付強度を十分に確保できる段板取付構造を提供する。【解決手段】段板２が側板１の段板取付用木口１１に連結具４を介して固定される。連結具４は、段板取付用木口１１から突出するように配置される突出部７と、突出部７を側板１に固定する固定部６と、突出部７の先端に突出部６内に押込可能に設けられる押込操作部とを備え、押込操作によって突出部７が拡開変形する。段板２の裏面側に連結具４に対応して連結具被覆凹部２５が形成される。連結具被覆凹部２５内に突出部７を収容しつつ、段板２を段板取付用木口１１に押え付けることによって、押込操作部が連結具被覆凹部２５の奥壁面に押し込まれて突出部７が拡開変形し、拡開変形した突出部７の外周面が連結具被覆凹部１５の内周側面に係合することによって、段板２が側板１に固定される。【選択図】図４
2014066059.tif 000002
【特許請求の範囲】
【請求項１】
段板の裏面に設けられた取付面を、側板の段板取付用木口によって構成された取付面に載置してその段板を連結具を介して前記側板に固定するようにした段板取付構造であって、
前記連結具は、前記側板および前記段板のいずれか一方の部材の取付面から突出するように配置される突出部と、その突出部を前記一方の部材に対し固定する固定部と、前記突出部の先端に、軸心方向に沿って前記突出部内に押込可能に設けられる押込操作部とを備え、前記押込操作部を押し込むことによって前記突出部が径方向に拡開変形するように構成され、
残り一方の部材の取付面に前記連結具に対応して連結具被覆凹部が形成され、
前記連結具被覆凹部内に前記突出部を収容しつつ、前記段板を前記段板取付用木口に押え付けることによって、前記押込操作部が前記連結具被覆凹部の奥壁面に押し込まれて前記突出部が拡開変形するとともに、その拡開変形した突出部の外周面が前記連結具被覆凹部の内周側面に係合して抜け止めされることによって、前記段板が前記側板に前記連結具を介して固定されるようになっていることを特徴とする段板取付構造。
【請求項２】
前記突出部は、周方向に分割された複数の分割片によって構成されるとともに、
前記押込操作部は、前記複数の分割片によって囲まれたピン押込孔に押込可能に挿入配置されるインサートピンによって構成され、
前記インサートピンが前記ピン押込孔に押し込まれた際に、そのインサートピンの外周面によって前記複数の分割片が径方向に押し広げられることによって、前記突出部が拡開変形するようになっている請求項１に記載の段板取付構造。
【請求項３】
前記突出部は、弾性変形によって拡開変形するように構成される一方、
前記連結具は、前記押込操作部が前記突出部内に押し込まれた後の状態である押込状態に保持して前記突出部を拡開状態に保持するための押込状態保持手段を備えている請求項１または２に記載の段板取付構造。
【請求項４】
前記押込状態保持手段は、前記押込操作部に設けられた押込状態保持用突起と、前記突出部に設けられた押込状態保持用凹部とを備え、前記押込操作部が前記突出部内に押し込まれた際に、前記押込状態用突起が前記押込状態保持用凹部に係合することにより、前記押込操作部がその移動が規制されて押込状態に保持されるようになっている請求項３に記載の段板取付構造。
【請求項５】
前記連結具は、前記押込操作部が前記突出部内に押し込まれる前の状態である初期状態に保持するための初期状態保持手段を備えている請求項１〜４のいずれか１項に記載の段板取付構造。
【請求項６】
前記初期状態保持手段は、前記押込操作部に設けられた初期状態保持用突起と、前記突出部に設けられた初期状態保持用凹部とを備え、初期状態において、前記初期状態保持突起が前記初期状態保持用凹部に係合することにより、前記押込操作部の移動が規制されるようになっている請求項５に記載の段板取付構造。
【請求項７】
前記一方の部材に連結具取付凹部が形成され、
前記連結具の固定部が、前記連結具取付凹部内に嵌め込まれて固定されている請求項１〜６のいずれか１項に記載の段板取付構造。
【請求項８】
前記一方の部材が前記側板によって構成され、
前記連結具取付凹部は、前記側板の内側面および前記段板取付用木口の双方に開口し、かつ側板の内側面から側板の厚さ方向に連続する連結具取付溝によって構成され、
前記連結具の固定部が、前記側板の内面側から前記連結具取付溝に嵌め込まれて固定されている請求項７に記載の段板取付構造。
【請求項９】
前記連結具被覆凹部は、開口縁部よりも奥部の広さが広いアリ溝状に形成されている請求項１〜８のいずれか１項に記載の段板取付構造。
【請求項１０】
段板の裏面に設けられた取付面を、側板の段板取付用木口によって構成された取付面に載置してその段板を連結具を介して前記側板に固定するようにした段板取付方法であって、
前記連結具として、前記側板および前記段板のいずれか一方の部材の取付面から突出するように配置される突出部と、その突出部を前記一方の部材に対し固定する固定部と、前記突出部の先端に、軸心方向に沿って前記突出部内に押込可能に設けられる押込操作部とを備え、前記押込操作部を押し込むことによって前記突出部が径方向に拡開変形するように構成されたものを準備しておき、
残り一方の部材の取付面に前記連結具に対応して連結具被覆凹部を形成しておき、
前記連結具被覆凹部内に前記突出部を収容しつつ、前記段板を前記段板取付用木口に押え付けることによって、前記押込操作部を前記連結具被覆凹部の奥壁面に押し込んで前記突出部を拡開変形させるとともに、その拡開変形した突出部の外周面を前記連結具被覆凹部の内周側面に係合して抜け止めすることによって、前記段板を前記側板に前記連結具を介して固定するようにしたことを特徴とする段板取付方法。
【発明の詳細な説明】
【技術分野】
【０００１】
この発明は、木質製の階段等に適用される段板取付構造および段板取付方法に関する。
【背景技術】
【０００２】
一般住宅等の木質製屋内階段としてひな壇階段が周知である。ひな壇階段は、互いに平行で斜め上方に向けて配置され、かつ所定間隔おきに水平な段板取付用木口が形成された一対の側板を備え、一対の側板において対応する段板取付用木口に段板を固定するようにしている。
【０００３】
このような段板取付構造においては、段板を側板の木口に最終的には接着剤によって固定するのが通例であるが、接着剤が養生硬化するまで、不用意に段板が浮き上がらないように、接着剤と併用して、釘やビス等の機械的な固定手段によって段板を側板に対し固定しておくのが一般的である。
【０００４】
段板を機械的に固定する方法は、階段の裏面側（下面側）からの作業による方法と、階段の表面側（上面側）からの作業による方法とに大別される。
【０００５】
階段の裏面側からの作業によって段板を固定する方法としては例えば、逆Ｌ字状の連結金具の水平片を段板の裏面側にビス留めするとともに、垂直片を側板の内側面にビス留めすることにより、段板を側板に固定する方法が周知である。
【０００６】
また階段の表面側からの作業によって段板を固定する方法としては、段板の表面側からビスやフィニッシュネイル等の固定手段を段板に打ち込んで側板に固定する方法が周知である。
【０００７】
階段裏面側から固定する前者の方法では、段板を取り付ける毎に、階段の表面側と裏面側とを往き来する必要があり、段板取付作業が非常に面倒になってしまう。
【０００８】
また、階段表面側から固定する後者の方法では、ビスやフィニッシュネイル等の固定手段の頭部が段板の表面に少なからず露出するため、後の化粧工程において、固定手段が確実に隠蔽されるように、厚みの厚い巾木や見切り材を取り付ける必要があり、意匠上好ましくない。
【０００９】
一方、下記特許文献１の段板取付構造は、側板の段板取付用木口に形成したダボ孔にダボの下側半分を差し込むとともに、上側半分を段板の裏面側に形成したダボ孔に差し込むことにより、段板を側板に仮固定する方法が開示されている。
【先行技術文献】
【特許文献】
【００１０】
【特許文献１】特開平１０−２２７１１２号公報
【発明の概要】
【発明が解決しようとする課題】
【００１１】
しかしながら、上記特許文献１に示す段板取付構造では、ダボがダボ孔から容易に抜け出してしまい、段板を十分な強度で安定した状態に側板に仮固定することができないおそれがある。このため、接着剤が硬化する前に、不用意にも段板が浮き上がってしまい、段板を精度良く組み付けることができなくなってしまう場合がある。
【００１２】
この発明は、上記の課題に鑑みてなされたものであり、良好な美観を確保できる上さらに、段板を十分な強度で安定した状態に側板に固定することができる段板取付構造および段板取付方法を提供することを目的とする。
【課題を解決するための手段】
【００１３】
上記課題を解決するため、本発明は、以下の手段を備えるものである。
【００１４】
［１］段板の裏面に設けられた取付面を、側板の段板取付用木口によって構成された取付面に載置してその段板を連結具を介して前記側板に固定するようにした段板取付構造であって、
前記連結具は、前記側板および前記段板のいずれか一方の部材の取付面から突出するように配置される突出部と、その突出部を前記一方の部材に対し固定する固定部と、前記突出部の先端に、軸心方向に沿って前記突出部内に押込可能に設けられる押込操作部とを備え、前記押込操作部を押し込むことによって前記突出部が径方向に拡開変形するように構成され、
残り一方の部材の取付面に前記連結具に対応して連結具被覆凹部が形成され、
前記連結具被覆凹部内に前記突出部を収容しつつ、前記段板を前記段板取付用木口に押え付けることによって、前記押込操作部が前記連結具被覆凹部の奥壁面に押し込まれて前記突出部が拡開変形するとともに、その拡開変形した突出部の外周面が前記連結具被覆凹部の内周側面に係合して抜け止めされることによって、前記段板が前記側板に前記連結具を介して固定されるようになっていることを特徴とする段板取付構造。
【００１５】
［２］前記突出部は、周方向に分割された複数の分割片によって構成されるとともに、
前記押込操作部は、前記複数の分割片によって囲まれたピン押込孔に押込可能に挿入配置されるインサートピンによって構成され、
前記インサートピンが前記ピン押込孔に押し込まれた際に、そのインサートピンの外周面によって前記複数の分割片が径方向に押し広げられることによって、前記突出部が拡開変形するようになっている前項１に記載の段板取付構造。
【００１６】
［３］前記突出部は、弾性変形によって拡開変形するように構成される一方、
前記連結具は、前記押込操作部が前記突出部内に押し込まれた後の状態である押込状態に保持して前記突出部を拡開状態に保持するための押込状態保持手段を備えている前項１または２に記載の段板取付構造。
【００１７】
［４］前記押込状態保持手段は、前記押込操作部に設けられた押込状態保持用突起と、前記突出部に設けられた押込状態保持用凹部とを備え、前記押込操作部が前記突出部内に押し込まれた際に、前記押込状態用突起が前記押込状態保持用凹部に係合することにより、前記押込操作部がその移動が規制されて押込状態に保持されるようになっている前項３に記載の段板取付構造。
【００１８】
［５］前記連結具は、前記押込操作部が前記突出部内に押し込まれる前の状態である初期状態に保持するための初期状態保持手段を備えている前項１〜４のいずれか１項に記載の段板取付構造。
【００１９】
［６］前記初期状態保持手段は、前記押込操作部に設けられた初期状態保持用突起と、前記突出部に設けられた初期状態保持用凹部とを備え、初期状態において、前記初期状態保持突起が前記初期状態保持用凹部に係合することにより、前記押込操作部の移動が規制されるようになっている前項５に記載の段板取付構造。
【００２０】
［７］前記一方の部材に連結具取付凹部が形成され、
前記連結具の固定部が、前記連結具取付凹部内に嵌め込まれて固定されている前項１〜６のいずれか１項に記載の段板取付構造。
【００２１】
［８］前記一方の部材が前記側板によって構成され、
前記連結具取付凹部は、前記側板の内側面および前記段板取付用木口の双方に開口し、かつ側板の内側面から側板の厚さ方向に連続する連結具取付溝によって構成され、
前記連結具の固定部が、前記側板の内面側から前記連結具取付溝に嵌め込まれて固定されている前項７に記載の段板取付構造。
【００２２】
［９］前記連結具被覆凹部は、開口縁部よりも奥部の広さが広いアリ溝状に形成されている前項１〜８のいずれか１項に記載の段板取付構造。
【００２３】
［１０］段板の裏面に設けられた取付面を、側板の段板取付用木口によって構成された取付面に載置してその段板を連結具を介して前記側板に固定するようにした段板取付方法であって、
前記連結具として、前記側板および前記段板のいずれか一方の部材の取付面から突出するように配置される突出部と、その突出部を前記一方の部材に対し固定する固定部と、前記突出部の先端に、軸心方向に沿って前記突出部内に押込可能に設けられる押込操作部とを備え、前記押込操作部を押し込むことによって前記突出部が径方向に拡開変形するように構成されたものを準備しておき、
残り一方の部材の取付面に前記連結具に対応して連結具被覆凹部を形成しておき、
前記連結具被覆凹部内に前記突出部を収容しつつ、前記段板を前記段板取付用木口に押え付けることによって、前記押込操作部を前記連結具被覆凹部の奥壁面に押し込んで前記突出部を拡開変形させるとともに、その拡開変形した突出部の外周面を前記連結具被覆凹部の内周側面に係合して抜け止めすることによって、前記段板を前記側板に前記連結具を介して固定するようにしたことを特徴とする段板取付方法。
【発明の効果】
【００２４】
発明［１］の段板取付構造によれば、段板および側板のいずれか一方の部材の取付面から突出配置される突出部と、その突出部先端に設けられた押込操作部とを備え、その押込操作部の押込操作によって突出部が拡開変形するように構成された連結具が一方の部材に固定されるとともに、残り一方の部材の取付面に突出部を覆う連結具被覆凹部を形成しているため、段板を段板取付用木口に載置して押し付ければ、連結具被覆凹部の奥壁面によって押込操作部が押し込まれて突出部が拡開変形して、突出部の外周部が連結具被覆凹部の内周側面に係合し、連結具が連結具被覆凹部内に抜け止め状態に固定される。こうして段板を十分な強度で安定した状態に側板に簡単に固定でき、例えば接着剤が硬化するまで段板の浮き上がりを防止でき、段板を側板に確実に接着固定することができる。さらに本発明において、連結具は、連結具被覆凹部に収容されるため、段板表面側に釘やビス等の固定手段の頭部が露呈することがなく、良好な美観を得ることができる。
【００２５】
発明［２］の段板取付構造によれば、インサートピンの押込によって突出部を確実に拡開変形させることができ、段板をより安定した状態に側板に固定することができる。
【００２６】
発明［３］［４］の段板取付構造によれば、段板取付前に謝って、押込操作部を押し込んで突出部を拡開させてしまったとしても、押込操作部を引き抜けば、突出部は弾性復帰することにより元の縮径した状態に戻すことができる。従って、連結具は、何度でもやり直して使用することができ、無駄に廃棄する必要がなく、経済的に有益である。また押込操作部を押し込んだ際に、押込状態保持手段によって押込状態に保持できるため、支障無く、段板を側板に安定した状態に固定することができる。
【００２７】
発明［５］［６］の段板取付構造によれば、段板を側板に組み付ける前に、押込操作部が不用意に押し込まれてしまう等の不具合を防止できるため、段板の組付作業をより一層スムーズに行うことができる。
【００２８】
発明［７］の段板取付構造によれば、連結具を側板に十分な強度でより確実に固定することができる。
【００２９】
発明［８］の段板取付構造によれば、連結具を側板に十分な強度で簡単に固定することができる。
【００３０】
発明［９］の段板取付構造によれば、段板をなお一層安定した状態に側板に固定することができる。
【００３１】
発明［１０］の段板取付方法によれば、上記と同様に、良好な美観を確保できる上さらに、段板を十分な強度で安定した状態に側板に固定することができる。
【図面の簡単な説明】
【００３２】
【図１】図１はこの発明の実施形態である段板取付構造が適用された木質製ひな段階段をその一部を分解して示す斜視図である。
【図２】図２は実施形態のひな壇階段に適用された側板の内面側の斜視図である。
【図３】図３は実施形態の側板における連結具周辺を内面側から見た状態で示す分解斜視図である。
【図４】図４は実施形態のひな壇階段における連結具周辺を分解して示す斜視図である。
【図５Ａ】図５Ａは実施形態のひな壇階段における段板取付部周辺を示す側面断面図である。
【図５Ｂ】図５Ｂは図５Ａの分解図である。
【図６】図６は実施形態のひな壇階段に適用された連結具を示す内側面図である。
【図７Ａ】図７Ａは実施形態の連結具における連結具本体を示す図であって、図（ａ）は正面図、図（ｂ）は正面断面図である。
【図７Ｂ】図７Ｂは実施形態の連結具本体を示す図であって、図（ａ）は内側面図、図（ｂ）は外側面図である。
【図７Ｃ】図７Ｃは実施形態の連結具本体を示す上面図である。
【図８Ａ】図８Ａは実施形態の連結具におけるインサートピンを示す図であって、図（ａ）は正面図、図（ｂ）は内側面図である。
【図８Ｂ】図８Ｂは実施形態の連結具におけるインサートピンを示す図であって、図（ａ）は上面図、図（ｂ）は下面図である。
【図９】図９はこの発明の第１変形例としての連結具を示す内側面図である。
【図１０Ａ】図１０Ａはこの発明の第２変形例としての連結具を初期状態で示す側面図である。
【図１０Ｂ】図１０Ｂは第２変形例の連結具を押込状態で示す側面図である。
【図１１Ａ】図１１Ａはこの発明の第３変形例としての連結具における連結具本体の突出部を示す図であって、図（ａ）は正面断面図、図（ｂ）は側面図である。
【図１１Ｂ】図１１Ｂはこの発明の第３変形例としての連結具におけるインサートピンを示す図であって、図（ａ）は正面図、図（ｂ）は側面図である。
【図１２Ａ】図１２Ａはこの発明の第４変形例としての連結具の突出部周辺を示す図であって、図（ａ）は初期状態の側面図、図（ｂ）は押込状態の側面図である。
【図１２Ｂ】図１２Ｂは第４変形例の連結具のインサートピンを示す側面図である。
【発明を実施するための形態】
【００３３】
図１はこの発明の実施形態である段板取付構造が適用された木質製ひな壇階段をその一部を分解して示す斜視図である。なお以下の説明においては、階段を上る際に向かっている方向を「前方」、階段を下りる際に向かっている方向を「後方」として説明する。
【００３４】
図１に示すように、このひな壇階段は、一対の側板１，１と、一対の側板１，１に支持される複数の段板２および複数の蹴込板３とを基本的な構成要素として備えている。そして本実施形態の階段においては、各段板２を一対の側板１，１に組み付けるに際して、接着剤と、後に詳述する特有構成の連結具４とを併用して段板２を側板１に組み付けるものである。
【００３５】
一対の側板１，１は、左右方向（階段巾方向）に間隔をおいて互いに平行に、かつ斜め上方に向けて延びるように配置された状態で、家屋の構造材に固定されている。言うまでもなく、側板１は、組立予定の屋内階段の傾斜角度（勾配）に対応する傾斜角度に配置される。
【００３６】
側板１の上側縁部には、その上側縁部が階段状に切り欠かれることによって、水平な切り口と、垂直な切り口とが交互に並んで配置されるように形成されている。このうち、水平な切り口が段板取付用木口１１として構成されるとともに、垂直な切り口が蹴込板取付用木口１２として構成されている。
【００３７】
図２および図３に示すように、各段板取付用木口１１の前後２箇所の位置には、連結具取付部としての連結具取付凹部１５が形成されている。
【００３８】
この連結具取付凹部１５は、上側部によって構成される入口部１６と、下側部によって構成される奥部１７とを備えている。入口部１６は、側板１の段板取付用木口１１と、内側面との双方に開口しており、木口１１側の開口と内面側の開口とが連通連続されている。奥部１７は、側板１の内側面に開口しており、入口部１６と連通接続されている。
【００３９】
側板１の内面側から見た状態において、入口部１６は矩形状に形成されるとともに、奥部１７は入口部１６に対し前後方向のサイズが大きく形成されており、同方向に長い長円形状に形成されている。
【００４０】
なお、連結具取付凹部１５は、後述する連結具４の固定部６に対応する形状に形成されている。
【００４１】
また、連結具取付凹部１５は、側板１の厚さ方向（階段巾方向）に対し直交する平面で切断した際の断面形状が、側板１の厚さ方向の位置にかかわらず同じ形状に形成されるものである。従ってこの連結具取付凹部１５は、側板１の厚さ方向に連続して延び、かつ段板取付用木口１２に開口する溝（連結具取付溝）として捉えることができる。
【００４２】
本実施形態においては、この連結具取付凹部１５を、側板１の内面側からの溝付加工によって形成するようにしている。このため、側板１の外形仕上げ加工と、溝状の連結具取付凹部１５の溝付加工とを、１度の切削加工処理で連続して行うことができるため、側板１の外形仕上げ加工と、溝状の連結具取付凹部１５の溝付加工とを別々の異なる種類の加工方法で行う場合と比較して、溝付加工を効率良くスムーズに行うことができる。従って、側板１、ひいては階段構成部材の製作を容易に行うことができる。
【００４３】
一方、図１および図４に示すように、段板２は、その裏面側（下面側）における両側端部が、一対の側板１，１間において対応する段板取付用木口１１，１１に取り付けられるものである。この段板２の裏面２１における両側端部の前後２箇所には、段板取付用木口１１の連結具取付凹部１５にそれぞれ対応して、連結具被覆凹部２５がそれぞれ形成されている。
【００４４】
この連結具被覆凹部２５は、段板２の側端面と、裏面２１との双方に開口しており、側端面の開口と裏面２１の開口とが連通接続されている。図４および図５Ｂに示すように連結具被覆凹部２５は、裏面側開口から上方（奥部）に向かうに従って、次第に前後寸法が大きくなるようなアリ溝状に形成されている。換言すれば、段板２の外側面から見た状態において、連結具被覆凹部２５は、逆向きの略等脚台形の形状に形成されている。
【００４５】
なお連結具被覆凹部２５の断面形状は、後述する連結具４の突出部７が拡開変形した際の断面形状に対応する形状に形成されている。
【００４６】
また連結具被覆凹部２５は、段板２の長さ方向（階段巾方向）に対し直交する平面で切断した際の断面形状が、段板２の長さ方向の位置にかかわらず同じ形状に形成されるものである。従って連結具被覆凹部２５は、段板２の長さ方向に連続して延び、かつ段板裏面側に開口する溝（連結具被覆溝）として捉えることができる。
【００４７】
図１に示すように、段板２の裏面２１における前端縁には、長さ方向（階段巾方向）に連続して延び、かつ裏面側に開口する蹴込板取付溝２２が形成されている。
【００４８】
なお本実施形態において、段板２における溝状の連結具被覆凹部２５は、段板裏面側からの溝付加工（切削加工）によって形成することができる。
【００４９】
ここで、本実施形態においては、側板１によって一方の部材が構成されるとともに、段板２によって残り一方の部材が構成されている。さらに側板１の段板取付用木口１１および段板２の裏面２１によってそれぞれ取付面が構成されている。
【００５０】
図６は実施形態のひな壇階段に適用された連結具４を示す内側面図、図７Ａ〜図７Ｃはその連結具４の連結具本体５を示す図、図８Ａ、図８Ｂは連結具４のインサートピン８を示す図である。なお以下の説明において、連結具４（連結具本体５およびインサートピン８）の軸方向とは、図６の紙面に向かって上下方向であり、径方向とは、軸方向に対し直交する方向である。
【００５１】
これらの図に示すように、この連結具４は、段板２を側板１に仮固定するのに用いられるものであって、ＰＯＭ（ポリアセタール）等の硬質合成樹脂の一体成形品によって構成される連結具本体５と、同じくＰＯＭ等の硬質合成樹脂の一体成形品によって構成されるインサートピン８とを備えている。
【００５２】
なお本実施形態において、連結具４の素材は、特に限定されるものではないが、量産性等を考慮すると、本実施形態のような合成樹脂によって構成するのが好ましい。
【００５３】
連結具本体５は、先端（上端）が開口され、かつ基端（下端）が閉塞された略有底筒状の形状を基本形状としている。
【００５４】
すなわち連結具本体５は、基端側（下部側）に配置される固定部６と、先端側（上部側）に配置される突出部７とを備え、これらが一体に形成されている。
【００５５】
連結具本体５には、突出部７の先端（上端）において開口するピン押込孔５１が軸心に沿って形成されている。
【００５６】
突出部７は、ピン押込孔５１を筒孔とする略筒状に形成されている。この突出部７は、軸方向のスリット７０，７０によって周方向に２分割された一対の縦割り半筒状の分割片７１，７１によって構成されている。
【００５７】
そして突出部７は、図５Ａに示すように一対の半筒状分割片７１，７１が互いに相反する方向（外径方向）に弾性変形（撓み変形）可能に構成されており、その弾性変形によって、突出部７の特に先端側（上端側）が径方向に拡開変形できるようになっている。
【００５８】
各半筒状分割片７１，７１の外周面には、周方向に連続し、かつ軸方向に所定の間隔おきに複数の抜け止め突片７２がそれぞれ一体に形成されている。
【００５９】
一対の分割片７１，７１におけるスリット７０，７０を挟んだ対向縁部には、その上下方向（軸心方向）の中間位置および下端位置に、互いに対向する初期状態保持用凹部７３，７３および押込状態保持用凹部７４，７４がそれぞれ形成されている。後に詳述するが、この保持用凹部７３，７４は、インサートピン８を初期状態や押込状態（ロック状態）に保持するためのものである。
【００６０】
図７Ａ（ａ）に示すように連結具本体５の固定部６には、上記ピン押込孔５１を筒孔とする有底筒状部が設けられ、その底壁部には、ロック解除用作業孔５２が形成されている。このロック解除用作業孔５２は、その軸心がピン押込孔５１の軸心と一致するように配置され、かつピン押込孔５１に連通している。なお後に詳述するが、このロック解除用作業孔５２は、不用意にインサートピン８がピン押込孔５１の奥までに押し込まれてしまったような場合に、そのインサートピン８を抜き取る際に用いられる。
【００６１】
連結具本体５の固定部６における下端部には、前後両側に膨出するようにして、側面視（図７Ｂ参照）において、略半円形状の抜け止め膨出部６１，６１が一体に形成されている。さらに固定部６における上端部の前後両側縁部、膨出部６１，６１の上側縁部および膨出部６１，６１の下側縁部には、それらの各縁部に沿って抜け止めフィン６２が一体に形成されている。
【００６２】
また固定部６の内側面（図７Ａ（ａ）の左側面）には、内側方向（径方向）に張り出すように叩き付け部６３が一体に形成されている。後に詳述するが、この叩き付け部６３は、連結具４を側板１の連結具取付凹部１５に装着固定する際に利用されるものである。
【００６３】
ここで、固定部６は、側面視（図７Ｂ参照）において、その上側部が矩形状に形成されるとともに、下側部が横長の長円形状に形成されており、この固定部６の側面視形状に倣って、上記した側板１の連結具取付凹部１５の側面視形状（断面形状）が形成されている（図２，３等参照）。従って、連結具本体５の固定部６は、側板１の連結具取付凹部１５内にその内面側から適合状態に嵌め込み可能に構成されている。
【００６４】
図６、図８Ａおよび図８Ｂに示すように、インサートピン８は、連結具本体５のピン押込孔５１に挿入可能なインサート部８１と、インサート部８１の上端に一体に形成されたヘッド部８５とを備えている。
【００６５】
インサート部８１の上側部には、前後方向に膨出するように押し開き部８２，８２が形成されている。この押し開き部８２，８２の外側面は、挿入側（先端側）に向かうに従って次第に軸心に近づくように傾斜するテーパー面に形成されており、そのテーパー面にガイドされることによって、後述するように押し開き部８２，８２を連結具本体５のピン押込孔５１にスムーズに挿入できるようになっている。
【００６６】
なお図面上では理解し難いが、インサート部８１における押し開き部８２，８２よりも下側の外側面も、挿入側（先端側）に向かうに従って次第に軸心に近づくように僅かに傾斜するテーパー面に構成されている。
【００６７】
またインサートピン８のヘッド部８５は、インサート部８１に比べて、径方向のサイズが大きく、ヘッド部８５の上面の面積が大きく確保されている。
【００６８】
さらにインサート部８１の両側面には、連結具本体５のスリット７０，７０に対応して、係合突起８３，８３が形成されている。この係合突起８３，８３は、連結具本体５の初期状態保持用凹部７３，７３および押込状態保持用凹部７４，７４のいずれかに係合可能に構成されている。例えば図５Ｂおよび図６に示すように、インサートピン８のインサート部８１が、連結具本体５のピン押込孔５１に先端開口部から挿入されて、インサート部８１の係合突起８３，８３が、連結具本体５の押込状態保持用凹部７３，７３に係合した状態（初期状態）では、その係合によって、インサートピン８の軸心方向（挿入方向および引抜方向）の移動が制限される。これにより、インサートピン８がピン押込孔５１の途中まで挿入された状態（初期状態）でインサートピン８が保持されて、インサートピン８が不用意に連結具本体５の奥まで挿入されてしまったり、不用意に抜け出してしまう等の不具合が防止される。
【００６９】
なお初期状態においては、インサートピン８の押し開き部８２，８２が、連結具本体５のピン押込孔５１に挿入されず、連結具本体５の突出部７よりも上方に配置されて、インサートピン８の上部が突出部７から上方（先端側）に飛び出すように配置されている。
【００７０】
また初期状態から、インサートピン８がさらに押し込まれて、インサート部８１の係合突起８３，８３が、連結具本体５の押込状態保持用凹部７４，７４に係合した状態（押込状態）では、その係合によって、インサートピン８の軸心方向の移動が制限される。これにより押込状態でインサートピン８が保持されて、インサートピン８が不用意に抜け出してしまう等の不具合が防止される。
【００７１】
さらにこの押込状態においては図５Ａに示すように、インサートピン８の押し開き部８２，８２が、連結具本体５のピン挿入孔５１に挿入され、その押し開き部８２，８２によって、突出部７の両半筒状分割片７１，７１が外径方向に弾性変形し、突出部７が拡開変形した状態となっている。
【００７２】
ここで本実施形態においては、係合突起８３によって、初期状態保持用突起または押込状態保持用突起が構成されている。さらに係合突起８３および初期状態保持用凹部７３によって初期状態保持手段が構成されるとともに、係合突起８３および押込状態保持用凹部７４によって押込状態保持手段が構成されている。またインサートピン８によって押込操作部が構成されている。
【００７３】
以上の構成の連結具４は、図６に示す初期状態に組み立てておき、この初期状態の連結具４を側板１に組み付ける。
【００７４】
すなわち図３等に示すように、初期状態の連結具４の固定部６における外側、つまり叩き付け部６３が形成されていない側を、側板１の連結具取付凹部１５における内面側の開口に対向させて配置し、その状態で、連結具４の固定部６を連結具取付凹部１５内にその内面側の開口から押し込んで凹部１５内に嵌め込む。この場合、木槌等によって、連結具４の叩き付け部６３を叩いて、連結具４の固定部６を嵌め込むことにより、連結具４の固定部６を連結具取付凹部１５内に確実に嵌め込むことができる。
【００７５】
こうして連結具４を嵌め込んだ状態では、図４および図５Ｂに示すように連結具４の突出部７が側板１の段板取付用木口１２から上方に突出した状態に配置されている。さらに嵌め込まれた連結具４は、初期状態であるため、インサートピン８である押込操作部を突出部７内に押込可能となっている。
【００７６】
また連結具取付凹部１５に嵌め込まれた連結具４の固定部６は、その外周に設けられた抜け止めフィン６２によって、連結具取付凹部１５の内面側の開口から内側に抜け出すのが防止される。さらにこの嵌め込み状態においては、連結具４の抜け止め膨出部６１が連結具取付凹部１５の奥部１７の内周面に係合するため、連結具４の固定部６が、連結具取付凹部１５の段板取付用木口１１側の開口から上方に抜け出すのが防止される。さらに膨出部６１が連結具取付凹部１５の奥部１７における内周側面に係合することによって、連結具４の軸回り方向（周方向）の回転も確実に防止することができる。こうして連結具４が側板１の連結具躯定凹部１５に安定状態に確実に取り付けられる。
【００７７】
ここで、本実施形態において、連結具４を連結具取付凹部１５内に確実に嵌め込んだ状態では図７Ａの想像線に示すように、連結具４の叩き付け部６３の先端面が側板１の内側面よりも少し内側に飛び出すように配置されている。このため、叩き付け部６３を叩き付けて連結具４を連結具取付凹部１５内に嵌め込む際に、叩き付け部６３が連結具取付凹部１５の内側にめり込んでしまうことがなく、連結具４を所定位置まで嵌り込むまで、叩き付け部６３を確実に叩き付けることができる。
【００７８】
こうして組付予定の一対の側板１の各連結具取付凹部１５に連結具４をそれぞれ装着した後、その側板１を用いて、以下に示すように階段を組み立てるものである。
【００７９】
なお、本実施形態において、連結具４を一対の側板１に装着する作業は、階段を組み立てる前に予め現場で行っても良いし、現場に機材を搬入する前に予め工場等で行っておいても良い。さらに連結具４を側板１に装着する際には、上記したようにインサートピン８を連結具本体５に挿入して連結具４を組み立てた後、その連結具４を側板１に装着するようにしても良いし、連結具本体５を側板１に装着した後、その本体５にインサートピン８を挿入して連結具４を組み立てるようにしても良い。
【００８０】
こうして連結具４を装着した一対の側板１，１を家屋構造体の所定の位置に固定する。なお本実施形態においては、階段組立前に、連結具４を側板１の装着するようにしているが、それだけに限られず、本発明においては、階段の組立作業と並行して適宜、連結具４を側板１に装着するようにしても良い。
【００８１】
次に一対の側板１，１に、蹴込板３と、段板２とを下側から順に交互に組み付けていく。すなわち１段目の蹴込板３を一対の側板１，１における最下端の蹴込板取付用木口１２，１２に取り付ける。この場合例えば、最下端の蹴込板取付用木口１２，１２間において床面上に受け材としての桟木を固定しておき、その桟木に１段目の蹴込板３の裏面側下端縁を接着剤によって固定する。さらに必要に応じて、かくし釘やフィニッシュネイル等で１段目の蹴込板３を側板１，１の蹴込板取付用木口１２，１２等に固定する。
【００８２】
次に１段目の段板２を一対の側板１，１における１段目の段板取付用木口１２，１２に固定する。すなわち、段板取付用木口１２，１２に接着剤を塗布した後、段板２の裏面両側縁部に設けられた連結具被覆凹部２５内に、側板１側の連結具４の突出部７がそれぞれ収容されるようにして、段板２の裏面両側縁部を段板取付用木口１２，１２上に載置して押さえ込む。このとき図５Ａに示すように、連結具４におけるインサートピン８のヘッド部８５が、段板２における連結具被覆凹部２５の天井面（奥壁面）に押し込まれて、インサートピン８が連結具本体５のピン押込孔５１内に押し込まれる。これにより、インサートピン８の押し開き部８２によって、連結具本体５の一対の半筒状分割片７１が外径方向に押し曲げられて外側に弾性変形することにより、突出部７が拡開変形する。
【００８３】
こうして拡開した突出部７の抜け止め突片７２が連結具被覆凹部２５の内周側面に食い込み、連結具４の突出部７が連結具被覆凹部２５に強固に固定されて抜け止めされ、段板２の裏面両側端部が段板取付用木口１２に密着した状態に配置される。従って、段板２の両側縁部が浮き上がる等の不具合を確実に防止でき、接着剤が養生硬化するまで、段板２を側板１，１に密着させた状態に維持でき、接着剤によって段板２を側板１，１に確実に固定することができる。
【００８４】
なお、１段目の蹴込板３の上端縁部は、１段目の段板２の蹴込板取付溝２２内に収容するように配置されている。
【００８５】
また本実施形態においては、インサートピン８のヘッド部８５を径大に形成して、ヘッド部の上端面（押込面）を大きく形成しているため、インサートピン８のヘッド部８５が、段板２の連結具被覆凹部２５の天井面（奥壁面）に押し込まれる際に、ヘッド部８５が連結具被覆凹部２５の天井面における広い範囲に接触する。このため、ヘッド部８５が連結具被覆凹部２５の天井面に押し込まれる際の応力が、天井面の広い範囲に分散するため、応力の局部集中を回避することができる。従って、連結具被覆凹部２５の天井面の一部が破損したり、凹んだりするような不具合を確実に防止することができて、連結具被覆凹部２５の天井面によるヘッド部８５の押込操作を確実に行うことができる。
【００８６】
さらに本実施形態においては、インサートピン８が連結具本体５に押し込まれた際に、インサートピン８の係合突起８３が連結具本体５の押込状態保持用凹部７４に係合することによって、インサートピン８が挿入された状態、つまり連結具本体４の突出部７が拡開した状態に維持される。このため、インサートピン８が不用意に抜け出て突出部７が縮径し、連結具４による段板２の側板１への連結が解除してしまうという不具合を確実に防止でき、良好な連結状態を維持することができる。
【００８７】
一方、１段目の段板２を組み付けた後は、２段目の蹴込板３を組み付ける。すなわち側板１，１における２段目の蹴込板取付用木口１２，１２の前面側に、２段目の蹴込板３を配置して、その蹴込板３の下端縁部を１段目の段板２の前端面に差し込む。そして必要に応じて、かくし釘やフィニッシュネイルを２段目の蹴込板３の裏面側から１段目の段板２に打ち込むとともに、かくし釘やフィニッシュネイルを蹴込板３の表面側から側板１，１の蹴込板取付用木口１２に打ち込んで固定する。
【００８８】
こうして２段目の蹴込板３を組み付けた後、上記と同様にして、２段目の段板２を組み付ける。
【００８９】
以下同様にして、蹴込板３と段板２とを交互に組み付ける一方、必要に応じて、巾木等の化粧部材（図示省略）や、手摺（図示省略）を取り付けることにより、本実施形態のひな壇階段が組み立てられる。
【００９０】
以上のように本実施形態の階段によれば、インサートピン８の押込によって先端側の突出部７が拡開変形する連結具４を、その突出部７を段板取付用木口１２から突出するように側板１に固定する一方、段板２の裏面２１に連結具４の突出部７を収容する連結具被覆凹部２５を形成しているため、段板２を段板取付用木口１２に載置して押し付けることにより、連結具被覆凹部２５の天井面（奥壁面）によってインサートピン８が押し込まれて突出部７が拡開変形して、突出部７の外周部が連結具被覆凹部２５の内周側面に係合し、連結具４が連結具被覆凹部２５内に抜け止め状態に固定される。従って、段板２が段板取付用木口１２に密着した状態に保持されて、段板２の両側縁部が浮き上がる等の不具合を確実に防止できる。これにより、接着剤が養生硬化するまで、段板２を側板１，１に確実に密着できて、段板２を側板１，１に不具合なく接着固定することができる。
【００９１】
しかも、段板２を段板取付用木口１２に押し付けるだけで簡単に、側板１に固定することができ、段板取付作業を効率良く行うことができる。
【００９２】
さらに本実施形態においては、段板２を側板１に組み付けた際には、段板２の裏面２１側に設けられた連結具被覆凹部２５内に連結具４が収容されるため、段板２の表面側に、連結具７や、釘やビス等の固定手段の頭部が露呈することがない。このため、固定手段の頭部を隠蔽するために特別な化粧を施す必要がなく、通常の簡単な化粧を施すだけで簡単に仕上げることができ、シンプルで好ましい美観を得ることができる。さらに化粧作業に必要な労力を軽減することができるため、階段組立作業を容易に行うことができる。
【００９３】
その上さらに、本実施形態においては、拡開状態の突出部８の形状に対応させて、連結具被覆凹部２５を入口部よりも奥部が広いアリ溝状に形成しているため、突出部８が拡開した際に、その突出部８が連結具被覆凹部２５内に適合状態に収容され、突出部８の連結具被覆凹部２５からの抜け止めをより一層確実に図ることができ、段板２の側板１に対する取付強度をより一層高めることができる。
【００９４】
また本実施形態においては、側板１の段板取付用木口１２に形成される連結具取付凹部１５を、側板１の側面側（内面側）からの溝付加工によって形成するものであるため、連結具取付凹部１５を簡単に形成することができる。すなわち、木口１２側から溝状の連結具取付凹部１５を形成する場合、木口１２は巾が狭くスペース的に制約があり、加工が困難となってしまう。そこで、本実施形態においては、スペース的にゆとりがある側面からの加工によって、連結具取付凹部１５を形成しているため、スペース的に制約され難く、連結具取付凹部１５を簡単に形成することができる。
【００９５】
また本実施形態においては、連結具４の本体５に初期状態保持用凹部７３および押込状態保持用凹部７４を形成し、段板２の組付前には、インサートピン８の係合突起８３を初期状態保持用凹部７３に係合させて、インサートピン８を初期状態に保持している。このため、施工現場への機材搬入時や階段組立時等に、インサートピン８が連結具本体５から抜け落ちたり、インサートピン８が連結具本体５に必要以上に挿入されてしまう等の不具合を確実に防止でき、機材搬入作業や階段組立作業を効率良くスムーズに行うことができる。
【００９６】
また本実施形態においては、連結具４の本体５を硬質合成樹脂によって作製して、その本体５の突出部７をその分割片７１，７１の弾性変形により拡開変形させて抜け止め作用を発揮するものであるため、何度でもやり直すことができるとともに、再利用も可能である。
【００９７】
すなわち仮に、本発明の連結具４の本体５を、一般的なアンカーボルトの材料としての用いられる金属によって作製した場合、連結具本体５の突出部７は拡開変形時には塑性変形するため、拡開変形する前の縮径な状態に戻すことが困難である。このため、段板取付前に不注意等により、インサートピン８を押し込んでしまうと、突出部７を元の縮径形状に戻すことができず、連結具４を廃棄せざるを得ず、経済的に不利益である。
【００９８】
これに対し、本実施形態においては、連結具本体５の突出部７を弾性変形によって拡開変形させるものであるため、段板取付前に謝って、インサートピン８を押し込んで突出部７を拡開させてしまったとしても、インサートピン８を引き抜けば、突出部７は弾性復帰することにより元の縮径した状態に戻すことができる。つまり、本実施形態の連結具４は、何度でもやり直すことができ、経済的に非常に有益である。さらに階段をリフォームするような場合においても、以前に使用していた連結具４を、使用後に、再利用することも可能であり、材料の有効利用を図ることができて、より一層経済的に有益である。
【００９９】
しかも、本実施形態においては、段板組付前に不用意にインサートピン８が連結具本体５に必要以上に差し込まれてしまった場合、簡単に修復することができる。すなわち本実施形態においては、連結具本体５の底壁にロック解除用作業孔５２を形成しているため、段板組付前に、インサートピン８がロック状態まで差し込まれて、インサートピン８の係合突起８３が押込状保持用凹部７４に係合して、その状態で保持されていたとしても、径の小さいドライバーやキリ等の工具を、連結具本体５のロック解除用作業孔５２に差し込んで、その工具によって、インサートピン８を抜き出し方向に強く押し込めば良い。これにより、インサートピン８の係合突起８３が押込状態保持用凹部７４から外れて、インサートピン８を抜き出すことができ、インサートピン８を所定の位置（初期状態）に戻すことができる。
【０１００】
また仮に、初期状態のインサートピン８の全体を連結具本体５から完全に引き抜く必要が生じたとしても、上記と同様に、ドライバー等をロック解除用作業孔５２に差し込んで、インサートピン８を強く押し込めば、インサートピン８を連結具本体５から取り外すことができる。
【０１０１】
また本実施形態においては、連結具４の連結具本体５およびインサートピン８を硬質合成樹脂の一体成形品によって構成しているため、合成樹脂の熱成形によって効率良く簡単に製造することができ、コストを削減することができる。
【０１０２】
なお上記実施形態においては、段板２の裏面２１側に形成される連結具被覆凹部２５を、溝状に形成しているが、それだけに限られず、本発明においては例えば、連結具被覆凹部２５を、有底の孔（穴）状に形成するようにしても良い。
【０１０３】
さらに上記実施形態においては、側板１に形成される連結具取付凹部１５を、溝状に形成しているが、それだけに限られず、孔（穴）状に形成するようにしても良い。
【０１０４】
また上記実施形態においては側板１の連結具取付部としての連結具取付凹部１５の奥部１７に、連結具本体５における固定部６の抜け止め膨出部６１を係合させることによって、連結具４を連結具取付凹部１５に対し抜け止め状に固定するようにしているが、本発明においては、連結具取付部に対する連結具の固定方法は特に限定されるものではない。例えば接着剤、ビス、釘等によって、連結具を側板１の連結具取付用木口に１２に固定するようにしていも良い。さらに連結具４の固定部の外周に雄ねじを刻設するとともに、側板１の連結具取付部に雌ねじ（ねじ切り孔）を形成しておき、そのねじ切り孔に連結具４の固定部をねじ込むことにより、連結具４を側板に固定するようにしても良い。この場合、連結具本体５におけるスリット７０にマイナスドライバーの先端を差し込んで、そのドライバーの回転操作によって連結具本体５を回転させることにより、連結具本体５を簡単にねじ込むことができる。
【０１０５】
また上記実施形態においては、連結具４の固定部６を側板１の連結具取付凹部１５に収容するようにしているが、本発明においては、連結具の固定部を側板に必ずしも埋設する必要はない。例えば連結具の固定部を、接着剤によって直接、側板の段板取付用木口に固定したり、連結具の固定部にフランジ等を形成しておき、そのフランジを接着剤や、釘、ビス等によって固定するようにしても良い。要は連結具４の固定部が側板等の部材に固定されてさえいえれば良い。
【０１０６】
また上記実施形態においては、連結具４の突出部７を２つの分割片７１によって構成しているが、本発明においては、分割片の数は特に限定されるものではなく、連結具４の突出部７を、３つ以上の分割片によって構成するようにしても良い。もっとも本実施形態のように、連結具被覆凹部を溝状に形成する場合には、連結具被覆凹部を構成する溝の両側内面に、２つの分割片を確実に係止することができるため、連結具４の突出部７を２つの分割片によって構成するのが好ましい。
【０１０７】
図９はこの発明の第１変形例としての連結具４の突出部９を示す側面図である。同図に示すように、この第１変形例における連結具４において、インサートピン８におけるインサート部８１に設けられる押し開き部８２１は、上記実施形態の連結具４における押し開き部８２と比較して、インサート部８１の最上端の位置に設けられるとともに、軸心方向の長さが短く形成されている。
【０１０８】
その他の構成は上記実施形態と実質的に同様であるため、同一又は相当部分に同一符号を付して重複説明は省略する。
【０１０９】
この変形例においては、インサートピン８の押込に伴って、突出部７が徐々に拡開するのではなく、インサートピン８の押込が完了する直前に、突出部７が急速に拡開する。このため、連結具４の突出部７が連結具被覆凹部２５の途中で引っ掛かって、突出部７を連結具被覆凹部２５内に十分に差し込めない等の差込不足が生じたり、拡開した突出部７の接触により連結具被覆凹部２５の内周側面が傷付くような不具合を確実に防止することができる。すなわち、突出部７が徐々に拡開するような場合には、突出部７を連結具被覆凹部２５内に挿入している途中の段階で、突出部７の抜け止め突片７２が、連結具被覆凹部２５の内周面に当接係止してしまい、突出部７を連結具被覆凹部２５内に十分に挿入できなかったり、連結具被覆凹部２５の内周側面が傷付いてしまうおそれがある。
【０１１０】
換言すると、連結具被覆凹部２５を、入口部から奥部にかけて巾寸法が一定の下向きコ字溝状に形成したような場合において、突出部７が徐々に拡開するように構成しておくと、インサートピン８の差込途中に、突出部７が連結具被覆凹部２５の内周側面に引っ掛かる可能性が高くなる。従って、連結具被覆凹部２５をコ字溝状に形成するよう場合には特に、第１変形例のように、インサートピン８の押込が完了する直前に突出部７が急速に拡開するように構成するのが望ましい。
【０１１１】
このように第１変形例においては、インサートピン８の押込が完了する直前に、つまり突出部７の連結具被覆凹部２５内への挿入が完了する直前に、突出部７が急速に拡開するため、突出部７を連結具被覆凹部２５内に十分に挿入した状態で突出部７を拡開させることができる。従って、連結具４の差込不足が発生したり、凹部内周面の破損したりするのを確実に防止でき、段板２をバラツキ無く常時安定した状態で組み付けることができる。
【０１１２】
もっとも上記実施形態においては、連結具被覆凹部２５を、奥部に向かうに従って次第に巾寸法が広くなるようなアリ溝状に形成しているため、突出部７が連結具被覆凹部２５内に挿入される際に、たとえ突出部７が徐々に拡開したとしても、挿入途中に、突出部７が連結具被覆凹部２５の内周側面に引っ掛かるようなことがなく、連結具４の突出部７を確実に奥まで挿入することができる。
【０１１３】
図１０Ａはこの発明の第２変形例としての連結具を初期状態で示す側面図、図１０Ｂは押込状態で示す側面図である。両図に示すように、この第２変形例における連結具４においては、連結具４の本体５におけるスリット７０の上端に、一対の半筒状分割片７１，７１間に架け渡されるようにしてブリッジ７５が一体に形成されている。
【０１１４】
その他の構成は、上記実施形態と実質的に同様であるため、同一または相当部分に同一符号を付して重複説明は省略する。
【０１１５】
この第２変形例においては、段板取付時に、インサートピン８が連結具本体５の突出部７内に押し込まれた際には、図１０Ｂに示すように、突出部７が拡開するのに伴って、ブリッジ７５が破断するようになっている。この破断時には、「プチン」という破断音が発生するため、その破断音の有無によって、突出部７の拡開、つまり側板と段板との連結が行われた否かを判断でき、作業者は、実際に視認できなくとも、連結の適否を正確に把握することができる。
【０１１６】
なおこの第２変形例においては、インサートピン８の係合突起８３が、ブリッジ７５に係止することによって、インサートピン８の抜け止め、つまりインサートピン８を初期状態に保持することができる。従って、この第２変形例においては、係合突起８３およびブリッジ７５は、インサートピン８（押込操作部）を初期状態に保持するための初期状態保持手段として機能している。
【０１１７】
さらにこの変形例においては、係合突起８３およびブリッジ７５が初期状態保持手段として機能するため、インサートピン８を初期状態に保持するための初期状態保持凹部７３（図５Ｂ等参照）を省略することもできる。
【０１１８】
図１１Ａはこの発明の第３変形例としての連結具４における連結具本体５の突出部７を示す図、図１１Ｂは第３変形例としての連結具４におけるインサートピン８を示す図である。同図に示すように、この第３変形例における連結具４においては、半筒状分割片７１における周方向の中間位置に軸心方向が長い長孔７６が形成されるとともに、その長孔７６に対応してインサートピン８に抜け止めフィン７７が形成されている。そして、インサートピン８が連結具本体５のピン押込孔５１内に差し込まれた状態では、抜け止めフィン７７が長孔７６に軸心方向にスライド自在に収容されている。
【０１１９】
この第３変形例においては、抜け止めフィン７７が長孔７６の上端部に係止することによって、インサートピン８の連結具本体５に対する抜け止めが図られるようになっている。
【０１２０】
この第３変形例において、抜け止めフィン７７および長孔７６は、インサートピン８の抜け止めを図るものであるため、初期状態保持手段として機能する。
【０１２１】
さらにこの変形例においては、上記変形例２と同様、抜け止めフィン４４および長孔７６が初期状態保持手段として機能するため、インサートピン８を初期状態に保持するための初期状態保持凹部７３（図５Ｂ等参照）を省略することもできる。
【０１２２】
図１２Ａ（ａ）はこの発明の第４変形例としての連結具４の突出部周辺を初期状態で示す側面図、同図（ｂ）は押込状態で示す側面図、図１２Ｂはその連結具４のインサートピン８を示す側面図である。
【０１２３】
これらの図に示すように、この第４変形例としての連結具４の本体５における一対の半筒状分割片７１．７１の対向縁部の上端に、係合凹部７３１，７３１が形成される。さらにその係合凹部７３１に対応して、インサートピン８のインサート部８１における押し開き部８２に、周方向に長い押込状態保持用突起８３２が形成されるとともに、その突起８３２よりも挿入方向側に、周方向に短い初期状態保持用突起８３１が形成されている。
【０１２４】
この連結具４においては、段板組付前には、連結具本体５に差し込まれたインサートピン８の初期状態保持用突起８３１が、係合凹部７３１に係合することによって、インサートピン８が初期状態に保持されるようになっている。さらにインサートピン８が押し込まれて突出部７が拡開した際には、インサートピン８の押込状態保持用突起８３２が、係合凹部７３１に係合することによって、インサートピン８が押し込まれた状態（押込状態）に保持されるようになっている。
【０１２５】
換言すると、上記実施形態においては、連結具本体５側に２つの凹部７３，７４が形成され、かつインサートピン８側に１つの突起８３が形成されているのに対し、この第４変形例においては、連結具本体５側に１つの凹部７３１が形成され、かつインサートピン８側に２つの突起８３１，８３２が形成されている。
【０１２６】
なお、この第４変形例においては、係合凹部７３１によって、初期状態保持用凹部または押込状態保持用凹部が構成されている。さらに係合凹部７３１および初期状態保持用突起８３１によって初期状態保持手段が構成されるとともに、係合凹部７３１および押込状態保持用突起８３２によって押込状態保持手段が構成されている。
【０１２７】
また上記実施形態においては、側板に連結具を取り付けるとともに、段板に連結具被覆凹部を形成するようにしているが、それだけに限られず、本発明においては、段板に連結具を取り付けるとともに、側板に連結具被覆凹部を形成するようにしても良い。つまり、上記実施形態では、側板によって一方の部材を構成するとともに、段板によって残り一方の部材を構成するようにしているが、それだけに限られず、本発明は、段板によって一方の部材を構成するとともに、側板によって残り一方の部材を構成するようにしても良い。
【０１２８】
もっとも、上記実施形態のように連結具を埋設状態に固定するような場合には、加工性等の観点から、連結具を側板に取り付けるのが好ましい。
【産業上の利用可能性】
【０１２９】
この発明の段板取付構造は、例えば一般住宅等の屋内に組み付けられる木質製階段に適用することができる。
【符号の説明】
【０１３０】
１：側板
１１：段板取付用木口
１５：連結具取付凹部（連結具取付溝）
２：段板
２１：裏面
２５：連結具被覆凹部（連結具被覆溝）
４：連結具
５１：ピン押込孔
６：固定部
７：突出部
７１：半筒状分割片
７３：初期状態保持用凹部
７４：押込状態保持用凹部
８：インサートピン（押込操作部）
８３：係合突起（初期状態保持用突起、押込状態保持用突起）
【図１】
2014066059.tif 000003
【図２】
2014066059.tif 000004
【図３】
2014066059.tif 000005
【図４】
2014066059.tif 000006
【図５Ａ】
2014066059.tif 000007
【図５Ｂ】
2014066059.tif 000008
【図６】
2014066059.tif 000009
【図７Ａ】
2014066059.tif 000010
【図７Ｂ】
2014066059.tif 000011
【図７Ｃ】
2014066059.tif 000012
【図８Ａ】
2014066059.tif 000013
【図８Ｂ】
2014066059.tif 000014
【図９】
2014066059.tif 000015
【図１０Ａ】
2014066059.tif 000016
【図１０Ｂ】
2014066059.tif 000017
【図１１Ａ】
2014066059.tif 000018
【図１１Ｂ】
2014066059.tif 000019
【図１２Ａ】
2014066059.tif 000020
【図１２Ｂ】
2014066059.tif 000021